(57)【要約】      （修正有）【課題】血液透析による貧血や心臓血管の合併症などを治療することができず、残存する腎臓の機能を保持及び修復することもできないという技術的問題を解決することができる、新型の血液透析機を提供する。【解決手段】血液透析機であって、血液浄化用の透析器、透析液体の供与と循環のシステム、体外の血液循環システムを有し、また、心臓血管の疾病の予防と治療、貧血の病状の緩和、及び、残存する腎臓の機能の維持と回復等に用いる血液の光線治療装置を有しており、その光源の発する光によって体外の血液循環システムの中の血液に対して照射治療を行う。【選択図】図１
0003124006.tif 000002
【実用新案登録請求の範囲】
【請求項１】
血液浄化用の透析器、透析液体の供与と循環のシステム、体外の血液循環システムを有し、また、心臓血管の疾病の予防と治療、貧血の病状の緩和、及び、残存する腎臓の機能の維持と回復等に用いる血液の光線治療装置を有しており、その光源の発する光によって血液循環システムの中の血液に対して照射治療を行うことを特徴する血液透析機。
【請求項２】
請求項１記載の血液透析機において、患者の動脈から導き出す動脈血液の回路と、透析器の濾過を経た血液を患者の静脈に送る静脈血液の回路を含み、血液の光線治療装置が動脈血液の回路と静脈血液の回路のいずれかの一つにおいて照射を行うか、動脈血液の回路と静脈血液の回路において同時に照射を行うことを特徴とする血液透析機。
【請求項３】
請求項１記載の血液透析機において、上記血液の光線治療装置の光源は、発光ダイオード、白色光電灯、蛍光灯、レーザー発射装置など任意の光源から選択することを特徴とする血液透析機。
【請求項４】
請求項３記載の血液透析機において、上記血液の光線治療装置の光源は、周波数が500-850ナノメートルの光を発することを特徴とする血液透析機。
【請求項５】
請求項３記載の血液透析機において、上記光源は血液回路の周辺に配置されることを特徴とする血液透析機。
【請求項６】
請求項３または請求項５記載の血液透析機において、上記血液回路は光源の周辺に配置され、または、光源は血液回路の中に直接配置されることを特徴とする血液透析機。
【請求項７】
請求項５記載の血液透析機において、上記血液の光線治療装置は、環状の外カバーを有し、上記光源は該カバーの内側の環体上に配置されており、上記血液回路は内部環体を貫通して設けられることを特徴とする血液透析機。
【考案の詳細な説明】
【技術領域】
【０００１】
本考案は血液透析機に関する。
【従来の技術】
【０００２】
血液に対する透析処理の方法は、すでに急性または慢性の腎臓機能の衰弱という病状に対する治療に広範に用いられている。具体的には、患者の血液を透析器の中に導入し、半浸透膜の両側にある溶質の濃度の差を利用して、浸透、拡散、濾過などを経ることにより、新陳代謝の産物と有毒物質を一掃して、水と電解質の不均衡状態を是正するというものである。いわゆる「人工腎臓」である。
【０００３】
しかし、「人工腎臓」は、やはり腎臓ではなく、ある程度人間の腎臓の機能を果たすことができるが、完全に代替することはできない。また、「人工腎臓」を長期間使用するときは、数多くの合併症が生じ得る。たとえば、現行の血液透析機を用いて血液透析を行う場合、常に腎臓性の貧血を強め、心臓血管の合併症を誘引し、残存する腎臓の機能の衰弱を速めるという結果などを招くおそれがある。また、「人工腎臓」は、血液に対する濾過の機能を有するが、腎臓の衰弱または血液透析の使用による心臓血管の合併症や貧血などを治療することができない。したがって、長期に血液透析を受けた患者の場合、心臓血管の疾病による死亡率が、腎臓機能の衰弱そのものによる死亡率より高いのが現実の問題である。
【０００４】
これに対して、照射はすでに広い範囲で治療の方法として使われている。その中に、赤色光による治療は、患部の修復と癒合を促進し、細胞の機能を増強し、遊離基を一掃し、皮膚の老衰を遅延させ、美容効果を高め、また、血液の粘度を降下させ、血液の酸素搬送能力を著しく高め、免疫の効能を調節するなどの機能を有する。そのほか、紫外線等は強い光生物学の効果と殺菌などの機能を有し、青色光及び他の周波数域の光もそれぞれ治療の機能を有する。
【考案の内容】
【０００５】
本考案の目的は、従来の血液透析機が、患者の血液に対して透析処理を行うことによって新陳代謝の産物及び有毒の物質を排除するという、腎臓の一部機能しか果たすことができず、血液透析による貧血や心臓血管の合併症などを治療することができず、残存する腎臓の機能を保持及び修復することもできないという技術的問題を解決することができる、新型の血液透析機を提供することである。
【０００６】
本考案の技術内容は以下のとおりである。すなわち、本考案の装置は、血液透析機であって、血液浄化用の透析器、透析液体の供与と循環のシステム、体外の血液循環システムを有し、また、心臓血管の疾病の予防と治療、貧血の病状の緩和、及び、残存する腎臓の機能の維持と回復等に用いる血液の光線治療装置を有しており、その光源の発する光によって体外の血液循環システムの中の血液に対して照射治療を行うことを特徴とするものである。
【０００７】
上記体外の血液循環システムは、患者の動脈から導き出す動脈血液の回路と、透析器の濾過を経た血液を患者の静脈に送る静脈血液の回路を有し、血液の光線治療装置が動脈血液の回路と静脈血液の回路のいずれかの一つにおいて照射を行うことができ、また、動脈血液の回路と静脈血液の回路において同時に照射を行うことができる。
【０００８】
上記血液の光線治療装置の光源は、主に光の周波数や光の功率などの条件を満たすいかなる発光装置でも使用し得る。たとえば、発光ダイオード、白色光電灯、蛍光灯、あるいはレーザー発射装置などの光源からそれを選ぶことができる。
【０００９】
上記血液の光線治療装置の光源は、周波数が500-850ナノメートルの光を発生する。500-850ナノメートルの周波数をもつ光が、人間の身体に最も積極的な影響をもたらし、また、身体にとって最も吸収されやすいということは、長期の臨床実験からすでに証明済みである。その光による照射が過度にわたるものでない限り、一般に身体に害をもたらすことはない。したがって、それは安全な物理的治療方法ということができる。
【００１０】
上記光源は、照射の強度の要求を満たすため、血液回路の周辺に配置され得る。また、上記血液回路は光源の周辺に配置されることもできるし、光源を血液回路の中に直接配置することもできる。
【００１１】
上記血液の光線治療装置は、環状の外カバーを有し、上記光源はそのカバーの内側に設けられる環体に配置され、上記血液回路は内部環体を貫通するように設けることができる。
【００１２】
上記技術考案の光照射の治療方法を採用することにより、患者の身体内部のEPOの分泌量を増加させ、その貧血の病状を緩和することができる。光照射は、酸化的ストレスをコントロールし、遊離基を一掃することを通じて、心臓血管の疾病の発病率を減少させる。また、光照射は、同時に透析治療を受ける患者の残存する腎臓の機能を保護、修復する役割を果たすことができる。血液が体外の血液循環システムの中を流れる時、血液光線治療装置から発射された光の照射を受けることにより、血液透析による貧血や心臓血管の合併症などに対する治療を行うことができ、従来の血液透析機が単に血液の透析しかできずに、血液透析による貧血や心臓血管の合併症を治療することができず、また、残存する腎臓の機能を保持及び修復することもできないという技術的問題を解決することができる。さらに、外カバーが環状の構造を有し、発光ダイオードまたはレーザー発射装置を赤色光の光源として環状の外カバーの内部に設置することにより、赤色光の光源の発射する光の焦点が血液の流れる管に一致するようにして、血液に対する光の照射量を大幅に増加することができる。
【００１３】
具体的な実施方式
実施例１
図面１に示すように、本考案の血液透析機は、血液浄化用の透析器１、透析液体の供与と循環のシステム２、体外の血液循環システム３を有し、また、心臓血管の疾病の予防と治療、貧血の病状の緩和などに用いる血液の光線治療装置を有する。上記光線治療装置の光源７の発する光が体外の血液循環システム３の中の血液に対して照射治療を行う。体外の血液循環システム３は、患者の動脈から導き出す動脈血液の回路４と、透析器の濾過を経た血液を患者の静脈に送る静脈血液の回路５を含み、血液の光線治療装置は、動脈血液の回路４と静脈血液の回路５のいずれかの一つにおいて照射を行い、または、動脈血液の回路４と静脈血液の回路５の両方において同時に照射を行うことができる。
【００１４】
上記血液の光線治療装置の光源７は、発光ダイオード、白色光電灯、蛍光灯、あるいはレーザー発射装置などから選ぶことができる。光線の周波数は500-850ナノメートルである。また、上記光源７は血液回路の周辺に配置されることができる。あるいは、上記血液回路を光源の周辺に配置してもいいし、光源７を直接血液回路の中に配置することでもできる。また、光源と血液回路とを互いに交差する形にすることもできる。
【００１５】
そのほか、上記血液の光線治療装置は、環状の外カバー６となるような構造に設計し、上記光源７はその環状カバーの内側に設けられる環体上に配置し、上記血液回路は該内部環体の軸線上に配置することができる。
【００１６】
光照射の治療は、血液循環過程のいずれかの段階においても行われうる。すなわち、患者の体中の血液循環の過程においてもできるし、体外の血液循環の過程においてもできる。しかしながら、体中での光照射により患者にもたらす苦痛の程度、傷害および感染の危険性などを考慮して、主に体外の血液に対する光照射という安全な方法を採用するのが望ましい。
【００１７】
また、血液の光線治療装置は、それを血液透析機の中に設置することもできるし、また、それを独立の装置として設け、別の現行透析機と合わせて使うこともできる。後者の場合でも、同じ治療の効果を果たすことができる。
【図面の簡単な説明】
【００１８】
【図１】図１は本考案の構造を示す概念図である。
【図１】
0003124006.tif 000003